(57)【要約】【課題】使用性と美観にすぐれた安価なカーテン装置を提供することを目的とする。【解決手段】窓部の上面に配設される水平なガイドレール１１と、このガイドレール１１に沿ってスライドする複数個のランナー１２と、これらのランナー１２に懸吊されたカーテン１３とがあり、窓部の側部に設けられた係止具１６に下端部が係止されることによりカーテンの上部を抱き込んで開く使用長さがカーテンのサイズに応じて調整自在なタッセル１７を先頭のランナー１２に懸吊した。したがって先頭のランナー１２に懸吊されたタッセル１７を横方向に動かしてカーテン１３を窓部の側部に寄せることによりこれを開き、タッセル１７でカーテン１３の上部を緩く抱き込んでタッセル１７の下端部を係止具１６に係止すれば、カーテン１３は自然な状態で垂れ下って開かれた状態となり、カーテン１３にしわがよることはなく、美観にもすぐれている。【選択図】図３
0003135006.tif 000002
【実用新案登録請求の範囲】
【請求項１】
窓部の上面に配設される水平なガイドレールと、このガイドレールに沿ってスライドする複数個のランナーと、これらのランナーに懸吊されたカーテンとを備え、下端部が窓部の側部に設けられた係止具に係止されることによりカーテンを抱き込んでカーテンを開く使用長さがカーテンのサイズに応じて調整自在なタッセルを先頭のランナーに懸吊したことを特徴とするカーテン装置。
【考案の詳細な説明】
【技術分野】
【０００１】
本考案は、カーテンにしわが寄らないようにカーテンを窓部の側部に寄せてカーテンを開くことができることができるカーテン装置に関するものである。
【背景技術】
【０００２】
図６は従来の窓部に設けられたカーテン装置の正面図、図７はカーテン装置に使用されるタッセルの正面図である。図６において、窓部の上面には水平なガイドレール１が設けられており、ガイドレール１には複数個のランナー２がガイドレール１に沿って水平（横）方向にスライドできるように装着されている。
【０００３】
これらのランナー２にはカーテン３が懸吊されている。また先頭のランナー２には、対向する相手側のランナー（不図示）に着脱自在に磁着する磁石４が装着されている。５は窓部の窓ガラスである。
【０００４】
図７はカーテン３を窓部の側部に設けられた係止具６に係止するために用いられたタッセル（一般に布製）７を示している。タッセル７の本体である帯状部７１の両側部には、係止具６に引っ掛けるためのリング部７２が設けられている。図６に示すように、カーテン３はタッセル７で抱き込んでリング部７２を係止具６に引っ掛けることにより開かれる。
【考案の開示】
【考案が解決しようとする課題】
【０００５】
しかしながら上記従来のカーテン装置では、タッセル７で絞られた部分Ａにしわがよりやすいものであった。またカーテン３の開閉時には手でカーテン３に触れなければならないので、カーテン３の該部分が汚れやすいものであった。
【０００６】
また従来、先頭のランナーにバトン（細棒）をぶら下げ、このバトンでカーテンを開閉するものも知られている。しかしながらバトンは樹脂棒などのカーテン布地とは別材料で製作されるためコストが高く、またバトンが窓ガラスに当るとガチン音が発生するなどの問題点があった。
【０００７】
そこで本考案は、カーテンにしわが寄らず、美観にすぐれた安価なカーテン装置を提供することを目的とする。
【課題を解決するための手段】
【０００８】
本考案のカーテン装置は、窓部の上面に配設される水平なガイドレールと、このガイドレールに沿ってスライドする複数個のランナーと、これらのランナーに懸吊されたカーテンとを備え、下端部が窓部の側部に設けられた係止具に係止されることによりカーテンを抱き込んでカーテンを開く使用長さがカーテンのサイズに応じて調整自在なタッセルを先頭のランナーに懸吊したものである。
【考案の効果】
【０００９】
カーテンは、先頭のランナーに懸吊されたタッセルを水平（横）方向に動かしてカーテンの上部をタッセルで抱き込みながらカーテンを窓部の側部に寄せることによりこれを開く。そしてタッセルでカーテンを緩く抱き込んでタッセルの下端部を係止具に係止した状態で、カーテンは自然な状態で垂れ下って開いた状態になる。このようにカーテンをタッセルで緩く抱き込んでカーテンを開くので、カーテンは自然な垂れ下り状態となり、カーテンにしわがよることはなく、美観にもすぐれている。また、カーテンのサイズに応じてタッセルの使用長さを調整することもできる。
【考案を実施するための最良の形態】
【００１０】
（実施の形態１）
図１は実施の形態１におけるカーテンを閉じた状態の窓部の正面図、図２は実施の形態１におけるカーテンを開いた状態の窓部の正面図、図３は実施の形態１におけるカーテンを開いた状態の窓部の部分正面図、図４（ａ）は実施の形態１におけるランナーに懸吊されるタッセルの正面図、図４（ｂ）は実施の形態１におけるランナーに懸吊されるタッセルの側面図である。
【００１１】
図１及び図２において、窓部の上面には水平なガイドレール１１が設けられており、ガイドレール１１には複数個のランナー１２がガイドレール１１に沿って水平（横）方向にスライドできるように装着されている。
【００１２】
これらのランナー１２にはカーテン１３が懸吊されている。また先頭のランナー１２には、対向する相手側のランナー１２に着脱自在に磁着する磁石１４が装着されている。１５は窓部の窓ガラスである。
【００１３】
図１に示すように、先頭のランナー１２にはタッセル１７が懸吊してぶら下がっている。図４（ａ）、（ｂ）において、タッセル１７の本体１７０の一端部には、係止具１６に係止するカーテンと同生地の布製などのリング形の係止体１７１、１７２、１７３がピッチＴをおいて複数個（本例では３個）装着されている。またタッセル１７の本体１７０の他端部には布片１７４が縫い付けてあり、両者１７０、１７４の間にフック１８が挿入して着脱自在に係着されている。タッセル１７から突出するフック１８の先端部は、ランナー１２の孔部１２１（図３）の挿入して着脱自在に係着される。
【００１４】
したがって図２、図３に示すように、先頭のランナー１２からぶら下がったタッセル１７を横方向（窓部の側部方向）へ動かしてタッセル１７でカーテン１３の上部を抱き込みながらカーテン１３を窓部の側部に寄せて開き、タッセル１７の下端部の何れかの係止体１７１〜１７３（本例では最下端の係止体１７１）を係止具１６に引っ掛けるなどして係止する。この場合、カーテン１３のサイズに応じて複数の係止体１７１、１７２、１７３の何れかを選択して係止具１６に係止する。すなわち、タッセル１７の複数個の係止体１７１、１７２、１７３を選択使用することにより、タッセル１７の使用長さはカーテン１３のサイズに応じて調整自在となっている。
【００１５】
図２、図３に示すように、カーテン１３の上部をタッセル１７で抱き込んで開いた状態で、カーテン１３は自然な垂れ下り状態となり、カーテン１３にしわがよることはなく、美感的にも大変すぐれている。また係止体１７１を係止具１６から取りはずし、タッセル１７を窓部の中央部へ動かし、互いに対向する左右のランナー１２の磁石１４を吸着させれば、図１に示すようにカーテン１３は閉じる。
【００１６】
（実施の形態２）
図５（ａ）は実施の形態２における先頭のランナーに懸吊されるタッセル１７’の正面図、図５（ｂ）は同側面図である。タッセル１７’の本体には植毛帯１９１、１９２が装着されている。図５（ｂ）に示すように、本体１７０を屈曲させて植毛帯１９１、１９２同士を係着することにより、タッセル１７’の長さを短くすることができる。このように植毛帯１９１、１９２を装着することにより、タッセル１７’の使用長さは調整自在となっている。
【産業上の利用可能性】
【００１７】
本考案によれば、カーテンは、先頭のランナーに懸吊されたタッセルを横方向に動かしてカーテンをタッセルで抱き込みながらカーテンを窓部の側部に寄せることによりこれを開く。そしてタッセルでカーテンを緩く抱き込んでタッセルの下端部の係止体を係止具に係止した状態で、カーテンは自然な状態で垂れ下って開かれた状態になる。このようにカーテンをタッセルで緩く抱き込んでカーテンを開くので、カーテンは自然な垂れ下り状態を維持し、カーテンにしわがよることはなく、美観にもすぐれている。またカーテンのサイズに応じて、タッセルの使用長さを自由に調整できる。したがって特に、高さの高い大型の窓のカーテン装置としてすぐれており、コストも安価である。
【図面の簡単な説明】
【００１８】
【図１】実施の形態１におけるカーテンを閉じた状態の窓部の正面図
【図２】実施の形態１におけるカーテンを開いた状態の窓部の正面図
【図３】実施の形態１におけるカーテンを開いた状態の窓部の部分正面図
【図４】（ａ）実施の形態１におけるランナーに懸吊されるタッセルの正面図（ｂ）実施の形態１におけるランナーに懸吊されるタッセルの側面図
【図５】（ａ）実施の形態２におけるランナーに懸吊されるタッセルの正面図（ｂ）実施の形態２におけるランナーに懸吊されるタッセルの側面図
【図６】従来の窓部に設けられたカーテン装置の正面図
【図７】従来のカーテン装置に使用されるタッセルの正面図
【符号の説明】
【００１９】
１１  ガイドレール
１２  ランナー
１３  カーテン
１５  窓ガラス
１６  係止具
１７、１７’  タッセル
【図１】
0003135006.tif 000003
【図２】
0003135006.tif 000004
【図３】
0003135006.tif 000005
【図４】
0003135006.tif 000006
【図５】
0003135006.tif 000007
【図６】
0003135006.tif 000008
【図７】
0003135006.tif 000009